(57)【要約】【目的】人物撮像シーンと判別されなかった場合でも被写体に人物が含まれている可能性が比較的高い場合に赤目軽減処理を行う。【構成】被写体を撮像して得られた被写体像に顔画像が含まれていれば人物撮像シーンと決定し，被写体距離が近ければマクロ撮像シーンと決定する。被写体輝度が高ければ風景撮像シーンと決定し，被写体輝度が低ければ夜景撮像シーンと決定する。人物撮像シーンと判別された場合またはシーン判別ができなかった場合には（ステップ83でＹＥＳ），被写体に人物が含まれていると考えて赤目防止のためにプリ発光が行われる（ステップ84）。シーン判別できなかった場合には，人物シーンと判別されなかった場合でも被写体に人物が含まれている可能性があると考えられるので，赤目防止のためのプリ発光が行われる。【選択図】図３
2010034718.tif 000002
【特許請求の範囲】
【請求項１】
被写体を撮像し，被写体像を表す画像データを記録媒体に記録する撮像装置において，
人物撮像シーンを含む複数の撮像シーンを判別する撮像シーン判別手段，および
上記撮像シーン判別手段によって人物撮像シーンと判別されたことに応じて，あるいは撮像シーン判別ができなかったことに応じて，赤目軽減処理を行うように上記撮像装置を制御する赤目軽減処理制御手段，
を備えた撮像装置。
【請求項２】
撮像によって得られた被写体像から顔画像を検出する顔画像検出手段，
被写体までの距離を測定する測距手段，ならびに
被写体輝度を測定する輝度測定手段をさらに備え，
上記撮像シーン判別手段において判別可能なシーンが，人物撮像シーン，マクロ撮像シーン，風景撮像シーンおよび夜景撮像シーンであり，
上記撮像シーン判別手段は，
上記顔画像検出手段によって顔画像が検出されたことに応じて人物撮像シーンと判別し，上記測距手段によって測定された被写体までの距離が所定距離よりも近いときにマクロ撮像シーンと判別し，上記輝度測定手段によって測定された輝度が第１の所定輝度よりも高いときに風景撮像シーンと判別し，上記輝度測定手段によって測定された輝度が上記第１の所定輝度未満である第２の所定輝度よりも低いときに夜景撮像シーンと判別するものである，
請求項１に記載の撮像装置。
【請求項３】
被写体を撮像し，被写体像を表す画像データを記録媒体に記録する撮像装置の制御方法において，
撮像シーン判別手段が，人物撮像シーンを含む複数の撮像シーンを判別し，
赤目軽減処理制御手段が，上記撮像シーン判別手段によって人物撮像シーンと判別されたことに応じて，あるいは撮像シーン判別ができなかったことに応じて，赤目軽減処理を行うように上記撮像装置を制御する，
撮像装置の制御方法。
【発明の詳細な説明】
【技術分野】
【０００１】
この発明は，撮像装置およびその制御方法に関する。
【背景技術】
【０００２】
人物を撮像する場合，得られた被写体像の目の部分が赤くなってしまうことがある（いわゆる赤目現象）。赤目を抑えるためには，プリ発光などの赤目軽減処理が行われることがある。たとえば，被写体を本撮像する前に撮像して得られた被写体像に顔画像が含まれているかどうかを判定し，顔画像が含まれている場合にはプリ発光するものもある（特許文献１）。
【特許文献１】特開2000-107567号公報
【０００３】
しかしながら，被写体に人物が含まれているにも関わらず，顔画像を検出できない場合には被写体に人物が含まれていないと判断されるので，プリ発光は行われない。このために本撮像により得られた被写体像は赤目となってしまうことがある。
【発明の開示】
【０００４】
この発明は，人物撮像シーンと判別されなかった場合でも被写体に人物が含まれている可能性が比較的高い場合に赤目軽減処理を行うことを目的とする。
【０００５】
この発明は，被写体を撮像し，被写体像を表す画像データを記録媒体に記録する撮像装置において，人物撮像シーンを含む複数の撮像シーンを判別する撮像シーン判別手段，および上記撮像シーン判別手段によって人物撮像シーンと判別されたことに応じて，あるいは撮像シーン判別ができなかったことに応じて，赤目軽減処理を行うように上記撮像装置を制御する赤目軽減処理制御手段を備えていることを特徴とする。
【０００６】
この発明は，上記撮像装置に適した制御方法も提供している。すなわち，この方法は，被写体を撮像し，被写体像を表す画像データを記録媒体に記録する撮像装置の制御方法において，撮像シーン判別手段が，人物撮像シーンを含む複数の撮像シーンを判別し，赤目軽減処理制御手段が，上記撮像シーン判別手段によって人物撮像シーンと判別されたことに応じて，あるいは撮像シーン判別ができなかったことに応じて，赤目軽減処理を行うように上記撮像装置を制御するものである。
【０００７】
この発明によると，人物撮像シーンを含む複数の撮像シーンが判別され，人物撮像シーンと判別された場合，または撮像シーンが判別できなかった場合には被写体に人物が含まれているとして，赤目軽減処理が行われる。人物撮像シーンと判別された場合に限らず，撮像シーンが判別できなかった場合には被写体に人物が含まれている可能性があると考えられる。そのために，撮像シーンが判別できなかった場合にも赤目軽減処理が行われる。人物撮像シーンと判別されなかった場合でも被写体に人物が含まれている可能性が比較的高い場合に赤目軽減処理を行うことができる。
【０００８】
撮像によって得られた被写体像から顔画像を検出する顔画像検出手段，被写体までの距離を測定する測距手段，ならびに被写体輝度を測定する輝度測定手段をさらに備えてもよい。この場合，上記撮像シーン判別手段において判別可能なシーンが，人物撮像シーン，マクロ撮像シーン，風景撮像シーンおよび夜景撮像シーンであり，上記撮像シーン判別手段は，上記顔画像検出手段によって顔画像が検出されたことに応じて人物撮像シーンと判別し，上記測距手段によって測定された被写体までの距離が所定距離よりも近いときにマクロ撮像シーンと判別し，上記輝度測定手段によって測定された輝度が第１の所定輝度よりも高いときに風景撮像シーンと判別し，上記輝度測定手段によって測定された輝度が上記第１の所定輝度未満である第２の所定輝度よりも低いときに夜景撮像シーンと判別するものとなろう。
【実施例】
【０００９】
図１は，この発明の実施例を示すもので，ディジタル・スチル・カメラ（撮像装置）の電気的構成を示すブロック図である。
【００１０】
ディジタル・スチル・カメラの全体の動作は，ＣＰＵ31によって統括される。
【００１１】
ディジタル・スチル・カメラには，ユーザからの操作に応じた制御を行う操作系制御装置30も含まれている。ディジタル・スチル・カメラには，撮像モード，再生モードなどの動作モードを設定する動作モード・スイッチ21，メニュー／ＯＫボタン22，ズーム量等を設定する上下ボタン23，メニュー選択等のための左右ボタン24，BACKボタン25，表示装置55の表示を切り替える表示切替ボタン26，レリーズ・ボタン27および電源スイッチ28が含まれている。これらのスイッチ等21〜28からの操作信号は，操作系制御装置30に入力する。
【００１２】
ディジタル・スチル・カメラは，ストロボ撮像が可能であり，ストロボ撮像のためにストロボ装置12およびストロボ制御装置13が含まれている。後述するように，ストロボ装置12は，ストロボ制御装置13の制御のもとに赤目軽減のためのプリ発光も可能である。
【００１３】
また，ディジタル・スチル・カメラには，フォーカス・レンズ駆動装置11によってレンズ位置が制御されるフォーカス・レンズ１，ズーム・レンズ駆動装置10によってレンズ位置が制御されるズーム・レンズ２，絞り駆動装置９によって開口が制御される絞り３，およびシャッタ駆動装置８によって開閉制御されるシャッタ４も含まれている。シャッタ駆動装置８は，タイミング・ジェネレータ７から出力されるタイミング・パルスにもとづいて動作する。
【００１４】
動作モード・スイッチ21によって撮像モードが設定されると，被写体像を表す光線束は，フォーカス・レンズ１，ズーム・レンズ２，絞り３およびシャッタ４を介してＣＣＤ５の受光面に入射する。ＣＣＤ制御装置６によって制御されるＣＣＤ５から一定周期で被写体像を表す映像信号が出力される。ＣＣＤ制御装置６は，タイミング・ジェネレータ７から出力されるタイミング・パルスにもとづいて動作する。
【００１５】
ＣＣＤ５から出力した映像信号は，タイミング・ジェネレータ７から出力されるタイミング・パルスにもとづいて動作するアナログ信号処理装置14に入力する。アナログ信号処理装置14においてガンマ補正，アナログ／ディジタル変換などの所定のアナログ信号処理が行われる。アナログ信号処理装置14から出力された画像データは，画像入力コントローラ15を介して表示制御装置54に入力する。表示制御装置54によって表示装置55が制御されることにより，撮像により得られた被写体像が表示装置55の表示画面に表示される。
【００１６】
画像入力コントローラ15から出力された画像データは，ＡＦ（自動合焦）処理装置42およびＡＥ（自動露出）処理装置44にも入力する。ＡＦ処理装置42において，入力した画像データのコントラストにもとづいてフォーカス・レンズ１のレンズ位置が算出される。算出されたレンズ位置となるように，フォーカス・レンズ駆動装置11によってフォーカス・レンズ１が制御される。また，ＡＦ処理装置42において，算出されたレンズ位置にもとづいて被写体までの距離も算出される（測距手段）。もっとも被写体までの距離を測定する測距装置を設けてもよい。さらに，ＡＥ処理装置44において，入力した画像データにもとづいて被写体輝度が算出される（輝度測定手段）。算出された輝度にもとづいて，絞り３の絞り値およびシャッタ４のシャッタ速度が算出される。算出された絞り値となるように絞り駆動装置９によって絞り３が制御され，かつ算出されたシャッタ速度となるようにシャッタ駆動装置８によってシャッタ４が制御される。
【００１７】
画像入力コントローラ15から出力された画像データは，顔検出装置56にも入力する。顔検出装置56において，入力した画像データによって表される被写体像に顔画像が含まれているかどうかが検出される。顔画像の検出は，たとえば，顔画像のサンプルを多数記憶しておき，記憶されている顔画像と被写体像とのマッチング処理にもとづいて行われる。また，検出された顔画像に枠を表示する枠表示装置49もディジタル・スチル・カメラに含まれている。
【００１８】
また，ディジタル・スチル・カメラには，特定の人物などの被写体像を表す画像データを登録しておく特定被写体登録装置46も含まれている。特定被写体登録装置46に登録されている被写体像が特定被写体認証装置47において認証されると，特定の被写体が撮像されたことが認証されることとなる。また，特定の被写体を追跡して撮像するための特定被写体追跡装置48も含まれている。
【００１９】
さらに，ディジタル・スチル・カメラには，シーン認識装置58が含まれている。このシーン認識装置58は，撮像シーンを認識するものである。認識できる撮像シーンには，人物撮像シーン，マクロ撮像シーン，風景撮像シーンおよび夜景撮像シーンがある。シーン認識装置58には，顔検出装置56における顔検出の結果，ＡＦ処理装置42において算出された被写体までの距離，ＡＥ処理装置44において算出された被写体輝度をそれぞれ表すデータも入力する。入力されたデータにもとづいてシーン認識が行われる。このシーン認識処理については，後述する。
【００２０】
さらに，ディジタル・スチル・カメラには，撮像モード設定装置57が含まれている。この撮像モード設定装置57により設定された撮像モードにしたがって撮像制御装置41においてディジタル・スチル・カメラが制御される。
【００２１】
撮像モードが設定されている場合に，レリーズ・ボタン27が押されると，上述のように，被写体が撮像されて被写体像を表す画像データがアナログ信号処理装置14から出力される。画像データは，画像入力コントローラ15を介して画像処理装置45において所定の画像処理が行われる。画像処理装置45から出力された画像データは，ＡＷＢ（自動白バランス）処理装置43に入力し，白バランス調整が行われる。白バランス調整された画像データは，フレーム・メモリ51に与えられ，一時的に記憶される。画像データは，フレーム・メモリ51から読み出されて圧縮／伸長処理装置50に入力する。圧縮／伸長処理装置50において画像データが圧縮される。圧縮された画像データがメディア制御装置52によってメモリ・カードなどの外部記録メディア53に記録される。
【００２２】
この実施例によるディジタル・スチル・カメラは，再生機能も有しているが説明を省略する。
【００２３】
図２および図３は，撮像モードか設定された場合のディジタル・スチル・カメラの処理手順を示すフローチャートである。
【００２４】
上述のように，撮像モードが設定されると一定周期で被写体が撮像され，被写体像を表す画像データが得られる（ステップ71）。得られた画像データを用いて上述のように，顔検出装置56における顔検出，ＡＦ処理装置42における被写体までの距離測定（測距）およびＡＥ処理装置44における被写体輝度算出がそれぞれ行われる（ステップ72）。
【００２５】
撮像により得られた被写体像から顔画像が検出されると（ステップ73でＹＥＳ），シーン認識装置58により人物撮像シーンと決定される（ステップ74）。顔画像が検出されないと（ステップ73でＮＯ），被写体距離が近いかどうか（たとえば，数十cm以内かどうか）が判定される（ステップ75）。被写体距離が近いと（ステップ75でＹＥＳ），マクロ撮像シーンと決定される（ステップ76）。被写体距離が近くなければ（ステップ75でＮＯ），被写体輝度が第１の所定輝度よりも高いかどうか（たとえば，十数Ev以上かどうか）が判定される（ステップ77）。被写体輝度が高い場合には（ステップ77でＹＥＳ），風景撮像シーンと判定される（ステップ78）。被写体輝度が高くなければ（ステップ77でＮＯ），被写体輝度が第１の所定輝度未満の第２の所定輝度よりも低いかどうか（たとえば，３〜４Ev以下かどうか）が判定される（ステップ79）。被写体輝度が低ければ（ステップ79でＹＥＳ），夜景シーンと判定される（ステップ80）。被写体輝度が低くなければ（ステップ79でＮＯ），シーン判別不可と判定される（ステップ81）。
【００２６】
レリーズ・ボタンが押されると（ステップ82でＹＥＳ），人物撮像シーンと判定されたか，またはシーン判別ができなかったかどうかが判定される（ステップ83）。人物撮像シーンの場合には（ステップ83でＹＥＳ），赤目を未然に防止するためにストロボ装置12によってプリ発光が行われる（ステップ84）。プリ発光後に本撮像が行われて（ステップ84），本撮像により得られた画像データが記録メディアに記録される（ステップ86）。この実施例においては，シーン判別ができなかった場合も被写体に人物が含まれている可能性があるとして赤目プリ発光が行われる（ステップ83でＹＥＳ，ステップ84）。プリ発光後に本撮像が行われ（ステップ84），本撮像により得られた画像データが記録メディアに記録される（ステップ86）。
【００２７】
人物撮像シーンではなく，かつマクロ撮像シーン，風景撮像シーンまたは夜景撮像シーンのいずれかのシーンであると判別された場合には（ステップ83でＮＯ），被写体の中に赤目が発生するような距離に人物が存在しないと考えられるので，赤目プリ発光は行われない。本撮像が行われ（ステップ85），得られた画像データが記録メディアに記録される（ステップ86）。
【００２８】
上述の実施例では，赤目軽減処理は，本撮像前のプリ発光により行われているがプリ発光だけでなく，本撮像後に，得られた画像データについて画像処理装置45において赤目補正処理を行うようにしてもよい。
【００２９】
また，赤目軽減処理を行うかどうかをユーザに選択させるスイッチをディジタル・スチル・カメラに設け，ユーザによって赤目軽減処理が選択された場合に，上述のようにシーン判別にもとづく赤目軽減処理を行うようにしてもよい。赤目軽減処理が不要と考えられる場合に赤目軽減処理が行われてしまうことを未然に防止できる。逆に，ユーザによって赤目軽減処理をしないことが選択された場合であっても，上述のようにシーン判別にもとづく赤目軽減処理を行うようにしてもよい。確実に赤目軽減を実現できる。
【図面の簡単な説明】
【００３０】
【図１】ディジタル・スチル・カメラの電気的構成を示すブロック図である。
【図２】ディジタル・スチル・カメラの処理手順を示すフローチャートである。
【図３】ディジタル・スチル・カメラの処理手順を示すフローチャートである。
【符号の説明】
【００３１】
12  ストロボ装置
13  ストロボ制御装置
31  ＣＰＵ
42  ＡＦ処理装置（測距手段）
44  ＡＥ処理装置（輝度測定手段）
56  顔検出装置（顔画像検出手段）
58  シーン認識装置（撮像シーン判別手段）
【図１】
2010034718.tif 000003
【図２】
2010034718.tif 000004
【図３】
2010034718.tif 000005